(57)【特許請求の範囲】
【請求項１】
浴槽の内壁面に沿って装着可能とする装着部付き背板部を備え、該背板部の下側には、背板部と略平行な状態と、浴槽の底面に沿う略水平な状態との間に展開可能な折り畳み自在構造の座板用可動板部が枢着される一方、座板用可動板部の遊端側左右には、該座板用可動板部が背板部と略平行な状態では側方に突出して肘掛部を構成し、同座板用可動板部が略水平な状態では下方に突出して座板用可動板部の前脚部を構成するようにした一対の突出杆部が設けられてなることを特徴とする浴槽内装着用椅子。
【請求項２】
浴槽内壁面に沿って装着される背板部を備え、該背板部の浴槽内壁に対峙する裏面上側に浴槽上縁装着用の装着部を設けると共に、同背板部の裏面下側に浴槽内壁面当接用の安定部を設ける一方、前記背板部の下側には、背板部と略平行な状態と、浴槽の底面に沿う略水平な状態との間に展開可能な折り畳み自在構造の座板用可動板部が枢着される一方、座板用可動板部の遊端側左右には、該座板用可動板部が背板部と略平行な状態では側方に突出して肘掛部を構成し、同座板用可動板部が略水平な状態では下方に突出して座板用可動板部の前脚部を構成するようにした一対の突出杆部が設けられてなることを特徴とする浴槽内装着用椅子。
【請求項３】
装着部が、背板部裏面上下方向に組み合わせ位置を変更可能とする着脱自在構造に形成されると共に、浴槽の上縁厚さ寸法に応じて突出量の調節可能な係合腕を併設してなるものとした、請求項１または２何れか記載の浴槽内装着用椅子。
【請求項４】
背板部および座板用可動板部が、何れも縦格子構造に形成され、一方の格子桟が対応する他方の格子桟間および切り欠き部に嵌合または噛合状となるようにし、座板用可動板部を折り畳んだときに、背板部と座板用可動板部とが一枚板状構造となるようにした、請求項１ないし３何れか記載の浴槽内装着用椅子。
【請求項５】
背板部が、その上端から斜め後方に向けた枕片を一体または着脱自在に突設したものに形成されてなる、請求項１ないし４何れか記載の浴槽内装着用椅子。
【発明の詳細な説明】
【０００１】
【発明の目的】
この発明は、一般家庭の浴槽内に装着する椅子に関するものであって、浴槽内の入浴者の姿勢を腰掛け状または座椅子状に支持することができるようにした新規な構造からなる浴槽内装着用椅子を提供しようとするものである。
【０００２】
【従来の技術】
最近では、健康管理を目的とする入浴法を実践する人々が増加しており、例えば、気泡やジェット流発生器付き浴槽を採用したり、シャワーによる打たせ湯や浴槽内あるいは浴室内サウナを利用すること等が行われている。特に、サウナ効果は、全身の発汗を増進させて身体の新陳代謝を高める上で極めて有効なことから、健康管理に好適であり、多くの人々がその利用を望んでいるが、浴槽内サウナにしろ浴室内サウナにしろ、サウナ機能を達成するための器具の設置には相当の経費を必要とし、またそのための器具を限られたスペース内に設置する無理がある等の理由でそれ程の普及を果たしておらず、ましてや、サウナ専用機の場合には、浴室とは別の部屋を必要とする上、更に高価なものに付くことから、一般家庭への普及率は極めて低いのが現状である。
【０００３】
このように、その効果が評価されているサウナの一般家庭への導入が困難な現状にあって、サウナ効果に匹敵する入浴方法が提唱されている。
一般に、湯船に全身を浸して長時間入浴する従来からの入浴法は、医学的見地からは、湯温と水圧とによって心臓に大きな負担を掛けることになるため、必ずしも健康管理面で有益に作用するとはいえないとされ、老人や虚弱体質の人の場合には、比較的温めのお湯に適当な時間だけ入浴するよう指導されている程であり、したがって、サウナ効果を得るために、高温のお湯に全身を漬からせて入浴し、無理に発汗作用を促すようにする入浴方法は、決して推奨されず、その代わりに、長時間実施しても心臓等に負担をかけず、サウナ並の発汗作用による新陳代謝が得られる入浴法として、下半身だけを湯船に浸け、上半身は湯面よりも上に露出状として入浴する方法が提唱され始めてきている。
【０００４】
こうした状況に鑑み、この発明は、上半身を湯面より露出させて安楽に入浴できるようにする浴槽内に装着可能な椅子の開発、研究に逸早く着手し、度重なる試作、実験を繰り返してきた結果、遂にここにきて、その目的の達成が可能であって、しかも省スペース化や他への活用も可能となるようにする等して、その取り扱い性に極めて秀れた新規な構造からなる浴槽内装着用椅子を完成、実用化することに成功したものであり、以下において、図面に示すこの発明を代表する実施例と共に、その構成を詳述していくこととする。
【０００５】
【発明の構成】
図中に示すこの発明を代表する実施例からも明確に理解されるように、この発明の浴槽用の椅子は、基本的に次のような構成から成り立っている。
即ち、浴槽の内壁面に沿って装着可能とする装着部付き背板部を備え、該背板部の下側には、背板部と略平行な状態と、浴槽の底面に沿う略水平な状態との間に展開可能な折り畳み自在構造の座板用可動板部が枢着される一方、座板用可動板部の遊端側左右には、該座板用可動板部が背板部と略平行な状態では側方に突出して肘掛部を構成し、同座板用可動板部が略水平な状態では下方に突出して座板用可動板部の前脚部を構成するようにした一対の突出杆部が設けられてなるようにした構成を要旨とする浴槽内装着用椅子である。
【０００６】
更に詳しくは、浴槽内壁面に沿って装着される背板部を備え、該背板部の浴槽内壁に対峙する裏面上側に浴槽上縁装着用の装着部を設けると共に、同背板部の裏面下側に浴槽内壁面当接用の安定部を設ける一方、前記背板部の下側には、背板部と略平行な状態と、浴槽の底面に沿う略水平な状態との間に展開可能な折り畳み自在構造の座板用可動板部が枢着される一方、座板用可動板部の遊端側左右には、該座板用可動板部が背板部と略平行な状態では側方に突出して肘掛部を構成し、同座板用可動板部が略水平な状態では下方に突出して座板用可動板部の前脚部を構成するようにした一対の突出杆部が設けられてなる浴槽内装着用椅子としてその構成を示すこともできる。
【０００７】
背板部は、入浴者の背中を支持するための機能と共に、浴槽上縁を支持部として浴槽内にこの発明の椅子を吊り下げ状とする装着部のための形成部材として機能するものであって、背中に当接しても違和感を生じさせない形状、構造の平板状、湾曲状の板状体か格子状、網状その他の構造からなるものに形成される一方、その浴槽内壁面に対峙する裏面上側には、浴槽の上縁に装着（その上縁の厚さが変わっても対応可能な調整機構付き係合腕を備えたものが望ましい。）して支持するようにした装着部が突設、形成されると共に、該装着部から適宜間隔を置いた下方には、必要に応じて背板部の傾斜角度を調節したり、グラつきを無くすための、例えば吸盤や弾性突起からなる安定部が取着されるようにし、これら安定部を浴槽の内壁面に当接して浴槽内の姿勢を安定させると共に、一体に組み込まれている調整杆を操作してその突出高を調整して全体の傾斜角度が入浴姿勢に都合の良い角度にできるようにしたものとする極めて好都合のものとすることができる。
【０００８】
この背板部は、平板状あるいは背中に沿うように緩く湾曲状としたもので、背面からの湯回りを良くしたり、軽量化する等のために孔開き板状のものにすると極めて都合がよく、また、後述する実施例に取り上げたもののように、複数本の縦枠からなる格子状のものとなし、これに対して折り畳まれる側となる後述の可動板部が、前記背板部の複数本の縦枠の間に挿入可能となる配置に形成された縦枠を備えてなるものとすることにより、背板部に対して可動板部が折り畳まれると略背板部の厚さに収まる一枚板状のものとなるようにしたものとすることも可能であり、その他、健康増進に役立つ磁石や指圧具、あるいはジェット流噴出用ノズルやエア送出ノズル等、入浴段階に併用すると都合の良い各種部品、装置等を組み込んだものとすることも可能である。
【０００９】
なお、装着部は、背板部自体の裏面に一体に形成したものとする外、背板部とは別体のものに形成し、背板部裏面に用意した適宜取着部に嵌合またはスライド式に着脱自在とし、その上下取り付け位置が入浴者の姿勢や身長差、座高高等に応じて適宜変更調整可能となるようにしたものにすると都合が良く、浴槽の上縁部に係合する鉤型状のものとする外、浴槽の上縁上端面に吸着する吸盤によるものとすることも勿論可能である。
そして、必要に応じ、この背板部には、その上端に入浴者の頭を支える枕部が一体の構造か、適宜公知の着脱自在構造で取着されてなるものとすることも可能である。
【００１０】
一方、座板用可動板部は、背板部下側に取着、支持されて入浴者が浴槽内に適宜姿勢で座ることができるよう機能するものであり、一方端側だけを背板部に支持されたカンテリバー式構造によるものとする外、背板部支持側と反対側端部適所に浴槽底部に支持されるようにした前脚部を備えてなるものとしたり、それが、後述する実施例の如く、該座板用可動板部を背板部と略平行な状態に折り畳んだときには浴槽内側に向けて略水平に突出して肘掛部を構成し、同座板用可動板部が略水平な状態に展開されて腰掛け部として機能するときには下方に突出して先の前脚部となるようにする一対の突出杆部の形成されてなるものとすることもでき、背板部に対する該座板用可動板部、該座板用可動板部に対する前脚部あるいは突出杆部は、夫々折り畳み自在となる構造で枢着されると共に、その仮着状態が所定姿勢で安定するよう、各構成部材相互間は、適宜構造の摩擦部や噛合部その他公知の仮着構造を介在、形成したものとしたり、あるいは、仮止め用の仮着金具を組み合わせた構造のものに形成するようにする。
【００１１】
なお、座板用可動板部や突出杆部等は、折り畳み自在構造に加え、夫々の機能を果たす段階に適宜長さを変更可能にする伸縮構造が併設されたものとなし、入浴者の体型や姿勢に応じて高さや長さが適宜変更可能となるようにしたものとすることもできる。
この座板用可動板部を始め、上記までのこの発明の椅子を構成する各部材は、プラスチック材やステンレス材、木材、あるいはそれらの適宜組み合わせからなる素材によって極力軽量化、小形化されたものとなるようにし、且つ水中での繰り返し使用でも錆びたりカビが生え難く、しかも湯垢等によって汚れたときも簡単に洗えるような形状、あるいは組み合わせ、分解可能な構造のものとなるよう、夫々の部材および組合せ構造は、十分に配慮された形状、構造のものとなるようにして形成されるようにすべきである。
【００１２】
【実施例】
図１の浴槽用の椅子の全体斜視図、図２の可動部を折り畳んだ浴槽用の椅子の斜視図、図３の折り畳んだ可動部の突片部を更に折り畳んだ浴槽用の椅子の斜視図４の半身サウナ状態で使用中の浴槽用の椅子の側面図、図５の通常状態で使用中の浴槽用の椅子の側面図に示される事例は、この発明の最も代表的な構成からなるものである。
【００１３】
この事例の浴槽用の椅子１は、図１の全体斜視図が示すとおり、背板部２を備え、この背板部２の裏面側には浴槽の内壁面に装着するための装着構造が設けられている。この装着構造は、背板部２の裏面側上側左右側に夫々設けられた上部装着部３，３と、背板部２の裏面側下部左右側に夫々設けられた下部装着部４，４を備えている。背板部２の下端部には可動板部５の一端が枢着されている。
【００１４】
この可動板部５は、背板部２に対して略平行な状態に折り畳みが可能であると共に、背板部２に対して略直角な状態まで展開することにより座板を構成することができるように成っている。また、可動板部５の遊端側の左右部分には、可動板部５が背板部２と略平行な状態に折り畳まれた状態では背板部２の前方に水平に突出する肘掛部を構成し、また、可動板部５が略水平な状態で座板を構成する状態では下方に突出して座板の前脚部を構成する突片部６，６が夫々設けられている。
【００１５】
前述した構成の各部について詳述すれば、背板部２は、４本の縦枠部７，７，……を備え、これらの縦枠部７，７，……の上端部が緩やかな円弧状を成す連結枠部８によって一体に連結されている。円弧状に形成された連結枠部８の上部には、図示しないねじ等により着脱自在に設けられたヘッドレスト９が装着され、後方に向けて所定角度傾斜した状態となるようにされており、その下端部には、上記ねじによって着脱されるフランジ部１０が設けられ、上端部は後方に向けて折り曲げられている。
【００１６】
また、縦枠部７，７，……の中の左右側に位置する部分には上下方向に沿って複数の取付け孔１１，１１，……が前方から後方に貫通する状態で穿設されており、これら取付け孔１１，１１，……に対して上部装着部３を構成する係合鉤１４，１４が設けられている。
係合鉤１４，１４は、逆Ｌ字形状に形成された装着部１２，１２を備えており、直角に折曲された二辺の中の一辺が、左右の縦枠部７，７の裏面に夫々接合され、取付け孔１１，１１，……に対応する部分には、例えば雌ねじが刻設された貫通孔が設けられており、縦枠部７，７の表面側から挿入された複数本の飾りボルト１３，１３，……により、使用者が選択した高さ位置に結合できるようになっている。
【００１７】
更に、装着部１２，１２の二辺の中の他辺は、矩形筒状を成して縦枠部７，７の裏面に略垂直に立設された状態となっており、この他辺部分には、係合鉤部１４，１４の基端が進退可能に挿入されるようにしてある。
鉤部１４，１４は、直角に折り曲げられたプレート状に形成されており、その基端部は、装着部１２，１２に挿入された上、上下に貫通する飾りボルト１３，１３，……によって貫通状態で固定される。
【００１８】
上部装着部３の係合鉤部１４，１４は、下向きの鉤型となるように取着されていて、縦枠部７，７との間に浴槽Ｙの上縁部１５を、図４に示すように挟み込み状に保持する如く…構成されており、種類の異なる浴槽Ｙの上縁部１５に対しても装着可能となるよう、該係合鉤部１４，１４は、装着部１２，１２に対して所定範囲で進退移動可能な構造、例えば、係合鉤部１４，１４には平面視で長手方向に沿って複数個の図示しない貫通孔が穿設され、この貫通孔に飾りボルト１３，１３を挿入して貫通した飾りボルト１３，１３の先端に、裏面側から図示しないナットを螺合することにより、双方を所定幅に設定し、連結するように構成されている。
【００１９】
こうして、係合鉤部１４，１４は、浴槽Ｙの上縁部１５の外側に係合することにより、背板部２の上部が浴槽内に倒れるのを阻止すると共に、入浴者の荷重によって背板部２に掛かる力を浴槽Ｙの上縁部１５に伝える機能を果たすことになるものであり、図示にはしていないが、場合によっては、この係合鉤部１４，１４は、浴槽Ｙの上縁部１５の上端面に吸着する吸盤によるものに代替することも勿論可能である。
【００２０】
背板部２の左右下端部には、例えば、左右側の縦枠部７，７の裏面下端部に設けられた吸盤１６，１６からなる下部装着部４，４が設けられており、これら吸盤１６，１６は、背板部２に人が背をもたれた場合に掛かる荷重を緩衝、支持し、背板部２下端が弾力性を有する吸盤１６，１６を介して浴槽Ｙの内壁面に当接することにより、浴槽Ｙに傷が付くのを防止すると共に、背板部２の下部を浴槽Ｙの内壁面に固着して椅子１の姿勢が左右に移動してしまわないようにする一方、該吸盤１６，１６付き下部装着部４，４の長さを変更調節することにより、浴槽Ｙ壁に対する背板部２の傾斜角度の調整も可能にする。
【００２１】
背板部２の縦枠部７，７，……の下端部間には可動板部５の基端部が枢着されている。
この可動板部５は、背板部２の縦枠部７，７，……の間に挿入された状態の同様の縦枠部１７，１７，……を備えており、その基端部側が背板部２の裏面側に貫通した状態で延長され、背板部２の裏面側で枢着側連結枠１８によって一体に連結されている。また、縦枠部１７，１７，……の遊端側は、背板部２の前方で遊端側連結枠１９によって一体に連結されている。このように構成された可動板部５は、枢着側連結枠１８の近傍を貫通する枢軸２０が背板部２の縦枠部７，７，……の下端部をも貫通し、全幅に渡って双方を互いに回動自在に連結している。
【００２２】
遊端側連結枠１９には背板部２の縦枠部７，７に対応する部分に切欠２１，２１が形成され、可動板部５が折り畳まれた場合に縦枠部７，７との干渉を回避するように構成され、縦枠部７，７，……，１７，１７，……同士が同一表面を形成する如く、折り畳めるようになっている。
なお、可動板部５の枢着側の端部には、背板部２に対して直角状態に展開した場合に、浴槽Ｙの内壁に接合して座板面が下側に倒れないように保持する支持片２２，２２が左右に設けられている。
【００２３】
また、可動板部５の遊端側連結枠１９の左右端面には、突片部６，６が夫々設けられており、これら突片部６，６の基端部は、遊端側連結枠１９の左右側一端から他端側に貫通する如く設けられた枢軸２０によって回動可能に枢着され、図２および図３に示されるように、約９０度の範囲で回動できるようにしてあり、これにより、突片部６，６は、図３に示されるように背板部２に平行な状態に折り畳むことができ、また、突片部６，６は、夫々が矩形筒状に形成されており、先端側から伸縮体２３，２３が挿入されている。
【００２４】
さらに、この突片部６，６には、長手方向に沿って複数個の調節孔２４，２４，……が穿設されており、これらの調節孔２４，２４，……は前面側は通常の貫通孔であり、裏面側では雌ねじを備えたネジ孔を形成している。突片部６，６に挿入された伸縮体２３，２３にも、図示しない調節孔が穿設されており、希望する長さに伸縮体２３，２３を進退移動し、突片部６，６の穿設孔を通じて飾りネジ２５，２５を挿入、螺合することにより、希望する長さで固定できるようにしてあり、突片部６，６を肘掛として利用する際の長さの調節、および、前脚として利用する際の高さ調節ができるようになっている。
【００２５】
伸縮体２３，２３の端部には、例えば滑止用のゴム部材２３ａ，２３ａが設けられており、浴槽Ｙの底面に当接する場合にその先端が傷を付けてしまわないよう保護する役目が果たせるようになっている。
以上説明したように、この実施例によって構成されたこの発明の浴槽内装着用椅子１は、図１、図２および図３の３つの形態に変形させることができるものとなる。
【００２６】
【作  用】
このように構成された浴槽内装着用椅子を利用する場合には、図４または図５に示される状態での使用が可能である。
即ち、図４に示される使用状態では、使用者が下半身を湯船に浸け、上半身を湯面Ｕから出した状態にすることができる。浴槽Ｙの上縁部１５に係合するようにした上部装着部３となる係合鉤部１４，１４は、背板部２の中間部に装着され、背板部２は、浴槽Ｙ壁のやや上方に位置した状態で浴槽Ｙの内壁に固着され、展開した可動板部５は、浴槽Ｙの底面から所定高さだけ浮いた位置に略平行な水平状態に維持され、突片部６，６は、縮めた状態で浴槽Ｙの底面に垂直に立つ状態に設定されている。
【００２７】
このように座板を構成する可動板部５は、前部の荷重を左右の突片部６，６で受け、後部の荷重を上部装着部３の係合鉤部１４，１４と下部装着部４である吸盤１６，１６によって浴槽Ｙの壁面に伝えるので、通常の椅子に設けられる後部の脚部を備えていなくとも十分な剛性をもって使用者の体重を保持することができる。そして、後部の脚部を廃止して浴槽Ｙの壁面を利用したことにより、省スペース化を計ることができ、着座した入浴者の前方に余裕をもたせることができる。上述の状態で下半身のみを湯船に浸け、上半身を湯上に出すことにより、長時間の入浴によっても心臓等への負担を軽減し、且つ、サウナ効果によって発汗を促進して新陳代謝を促す等、健康面で良好な入浴ができるようになる。
【００２８】
一方、図５に示される使用状態では、上記したサウナ効果による使用を期待しないで、入浴者が普通の状態で肩の位置まで湯船に浸かり、肘掛を利用して体を支えた状態で入浴できるようにしたもので、浴槽Ｙの上縁部１５に係合する係合鉤部１４，１４、は背板部２の上端寄りに調節、装着されたものとなし、背板部２は、全体的に、図４の場合よりも下方に位置した状態で浴槽Ｙの内壁に固着されたものとなる。
【００２９】
可動板部５は、背板部２に略平行な状態に折り畳まれており、突片部６，６は水平状態に起立され、伸縮体２３，２３は前方に伸ばされた状態で固定されている。このように可動板部５を折り畳んだ状態では、使用者は肩まで浸かった状態で突片部６，６を肘掛として利用し、体を支えて湯船に入ることができる。つまり、通常の入浴状態において、入浴者は、肘掛によって体のずれ動きを防止した楽な姿勢で入浴ができるようにしたものであり、何れの使用においても、ヘッドレスト９が入浴者の頭部を支え、ゆったりとくつろげる姿勢での入浴が保証される。
【００３０】
上述した２つの形態で入浴を補助する作用を果たす浴槽用の椅子１は、不使用時には、収納状態として図３に示されるように、完全に折り畳むことも可能であり、可動板部５を背板部２に対して平行な状態に折り畳み、更に、突片部６，６を上方に回動して背板部２に平行な状態に位置させ、固定した状態とすることができ、浴槽用椅子１は、全ての部品が浴槽Ｙの内壁面に沿った状態で折り畳まれて一枚板状のコンパクトなものとすることができ、この椅子を装着していない浴槽Ｙと殆ど変わらない状態での入浴が可能となる。
【００３１】
【効  果】
以上のとおり、この発明の浴槽内装着用椅子は、先ず何よりも、浴槽の内壁に沿って背板部を設け、この背板部に対して折り畳み可能な状態で可動板部を設けたことにより、通常の入浴時には折り畳むことができ、また、下半身のみを湯船に浸けて入浴する場合には、可動板部を前方に展開して座板を形成することができるものとしてあることから、入浴者の希望によって通常の姿勢で入浴したり、あるいはサウナ効果を期待した長時間に渡る入浴や、老人のように心臓に負担を掛けない姿勢の入浴を選択に可能にするという秀れた特徴を有していることが評価されなければならない。
【００３２】
しかも、この発明に包含される浴槽内装着用椅子は、浴槽という限られたスペース内に設けられ、強度メンバーの一部に浴槽の壁面を利用するという合理的な構造を備えた上、浴槽の壁面に装着するための係合鉤に幅調節構造を備えていることから、種類の異なる浴槽に対応しても適格に装着可能とするものであり、また、入浴者の姿勢を支える使用が必要とないときには、極めてコンパクトな薄板状のものとして浴槽壁に沿わせた状態で吊り下げ状にしまうことができて普通の入浴に全く支障を来す慮がなく、このように収容した状態でも、入浴者がそれを背中にして入浴しても、浴槽壁との間に介在して背中への湯回りを良くする効果だけは同様に享受できるという利点も有するものとなる。
【００３３】
特に実施例として示したものでは、上記までの効果を遍く発揮することができるようにしたものであって、しかも各部構成部材が極めて組み立て、分解可能なものに形成されていて製造が容易な上、梱包や保管、輸送、展示等にも都合がいいものとなり、安価に提供することを可能にするのは勿論のこと、購入者の取扱い性についても有利なものとすることができるという特徴が得られるものとなっている。
【００３４】
叙上の如く、この発明に包含される浴槽内装着用椅子は、所期の目的を確実に達成可能とするものであって、製造性や取扱い性に秀れ、安価且つ利便性に富んだ入浴関連器具として提供可能とするものであり、従前までの入浴に比較してより一層くつろいだ雰囲気での入浴を可能にするだけではなく、休息に加えて健康管理や健康増進にも繋がる入浴も可能とするものになるだけに、老人や入浴時の姿勢保持の難しい人々にとっての補助具としては勿論のこと、健常者にとっても有用なものとして高く評価され、各家庭を始め、各種施設に渡って広く採用、普及していくものと予想される。
【図面の簡単な説明】
図面は、この発明が包含する浴槽内装着用椅子で、最も代表的な構成を具備したものの一実施例を示したに過ぎない。
【図  １】本発明に包含される浴槽用の椅子の斜視図である。
【図  ２】可動板部を折り畳んだ状態を示す斜視図である。
【図  ３】図２において突片部を更に折り畳んだ状態を示す斜視図である。
【図  ４】可動板部を展開して座板として使用する状態を示す側面図である。
【図  ５】畳み突片部を肘掛として使用する状態を示す側面図である。
【符号の説明】
１          浴槽用の椅子
２          背  板  部
１１        同  取付け孔
３          上部装着部
１４        同  係合鉤
４          下部装着部
１６        同  吸盤
５          座板用可動板部
１７        同  縦枠部
１８        同  枢着側連結枠
１９        同  遊端側連結枠
６          突片部
７          背板部の縦枠部
８          背板部の連結枠部
９          ヘッドレスト
１０        フランジ部
１２        装着部
１３        飾りボルト
２０        枢  軸
２１        切  欠
２２        支持枠
２３        伸縮体
２４        調節孔
２５        ネ  ジ
Ｙ          浴  槽
１５            同  浴槽の上縁部
Ｕ          湯  面
【図１】
0003981471.tif 000002
【図２】
0003981471.tif 000003
【図３】
0003981471.tif 000004
【図４】
0003981471.tif 000005
【図５】
0003981471.tif 000006